(57)【要約】【課題】土質改良機の改良材供給装置において、リングフィーダの固着等による機能低下を防止する。【解決手段】ハブ部22から放射状に延びる複数の縦型スクレーパーフィン23を備えたフィードロータ21をフィーダベース1上に配置し、フィードロータを取囲むアウターリング8をフィーダベース上に設け、フィーダモータ2によってフィードロータを回転駆動する。フィーダベースに形成した角穴11にシュート12を連結し、角穴及びフィードロータの上面の一部を仕切り板10で覆う。アウターリング上に結合した改良材タンク9内の土質改良材はフィードロータ上へ溜まり、フィードロータ一回転あたり一定量の改良材がシュートを通じて排出される。従来の改良材供給装置のリングフィーダに備えられていた外周リングを廃したことによって、アウターリングとリングフィーダとの固着やリングフィーダの回転不良の虞が解消される。【選択図】図1
2007145454.tif 000002
【特許請求の範囲】
【請求項１】
ハブ部から放射状に延びる複数の縦型スクレーパーフィンを備えたフィードロータをフィーダベース上へ回転自在に取付け、モータによる回転駆動機構を前記フィードロータへ連結するとともに、前記フィードロータを取囲むアウターリングをフィーダベース上に設け、フィーダベースのアウターリング内且つフィードロータ軸から変位した位置に改良材排出口を形成し、改良材排出口及びフィードロータの上面の一部を上方から覆う仕切り板を前記アウターリング上に設け、フィードロータ上へ土質改良材を投入し、フィードロータを回転駆動したときに、フィードロータ一回転あたり一定量の改良材が前記改良材排出口を通じて排出されるように構成した土質改良機の改良材供給装置。
【請求項２】
前記フィードロータのスクレーパーフィンは、ハブ部へ接続する基部の板厚が外端部の板厚よりも厚い請求項１記載の土質改良機の改良材供給装置。
【発明の詳細な説明】
【技術分野】
【０００１】
この発明は、土質改良機の改良材供給装置に関するものであり、特に、リングフィーダの固着等による機能低下を防止した土質改良機の改良材供給装置に関するものである。
【背景技術】
【０００２】
道路の基盤等の土質を改良するために、土壌へ土質改良材（主としてセメント、生石灰などの自硬性固化材）を散布して混合するように構成された土質改良機は広く知られている。土質改良機において土壌へ土質改良材を所定の比率で混合するための手段としては、一般的にリングフィーダ式改良材供給装置が用いられている（特許文献１、２など）。
【０００３】
図3、図4に従来のリングフィーダ式改良材供給装置の構成を示す。平面形状が円形のフィーダベース1は、図4に示すように土質改良機のフレームFにボルトBにて結合され、フィーダベース1の下面中心にフィーダモータ2が取付けられている。フィーダモータ2の軸はフィーダベース1から上方へ突出し、軸3に取付けられたリングフィーダ4が軸3とともに回転する。
【０００４】
リングフィーダ4は中心のハブ部5、ハブ部5から放射状に延びる複数のスクレーパーフィン6と、スクレーパーフィン6の外端を囲むリング7とによって構成されており、図の例ではリング7内の改良材収容空間は10枚のスクレーパーフィン6によって10升に区画されている。
【０００５】
フィーダベース1には、リングフィーダ4を囲むアウターリング8が固定されていて、リングフィーダ4のリング7の外周とアウターリング8の内周とには僅かな間隙がある。アウターリング8の上縁には、上方へ向かって直径が拡大する漏斗状の改良材タンク9が結合されており、リングフィーダ4の上面を約半分程度遮蔽する仕切り板10がアウターリング8に設けられている。
【０００６】
図3は、仕切り板10の一部を切欠いてリング7の内部を示しており、フィーダベース1の仕切り板10で覆われた箇所には角穴11が形成されていて、フィーダベース1の下面に角穴10と合致するシュート12が取付けられている。
【０００７】
改良材タンク9内へ改良材を投入すると、リングフィーダ4の仕切り板10で遮蔽されていない部分へ改良材が落下して、リングフィーダ4のリング7とハブ部5及びスクレーパーフィン6とによって形成される空間内へ改良材が充満し、リングフィーダ4の回転に伴って改良材がフィーダベース1の角穴11の位置へ移動したときにシュート12を通じて落下する。
【０００８】
リングフィーダ4が回転する際に、リングフィーダ4の升内の改良材はリング7の上端位置で仕切り板10によってすり切られ、升の容積分の改良材がシュート12から落下する。リングフィーダの１回転あたりの改良材供給量は、リングフィーダ4のハブ部5とリング7及びスクレーパーフィン6とによって形成された10升分の体積であり、リングフィーダ4の回転数によって改良材供給量を制御することができ、また、回転速度によって単位時間当たりの改良材供給量を制御することもできる。
【特許文献１】特開平9-104533号公報
【特許文献２】特公平6-51509号公報
【発明の開示】
【発明が解決しようとする課題】
【０００９】
従来のリングフィーダ式改良材供給装置は、リングフィーダのリングとその外側の固定アウターリングとの間隙に改良材が入り込むことは避けられない。したがって、アウターリングとリングフィーダのリングの双方の真円度が高くなければ、リング間に詰まった改良材によりリングフィーダの回転抵抗が大きくなって回転に支障をきたすので、アウターリングの内周面とリングフィーダの外周面に機械加工をして真円度を上げなければならず、製造原価が上昇するという問題がある。
【００１０】
また、高い真円度となるように工作したものであっても、アウターリングとリングフィーダのリングとの間隙に詰まった改良材が水分を含んで粘性を帯び、回転抵抗が著しく上昇して回転不能となったり、改良材が固化してリングフィーダとアウターリングが固着したりすることがある。
【００１１】
このような不具合を防止するためには、改良材タンク内へ改良材を当日使用分だけ投入し、その日のうちに使い切るようにすれば、アウターリングとリングフィーダとが固着する可能性は低くなるが、改良材の投入量管理が煩わしく、また、改良材投入量によって作業量が制限されて、例えば作業を延長する必要が生じた場合などにその要求に対応できないという欠点がある。
【００１２】
そこで、アウターリングとリングフィーダとの固着の虞やメンテナンスにかかる手間を軽減するとともに、製造原価を低減できる改良材供給装置を提供するために解決すべき技術的課題が生じてくるのであり、本発明は上記課題を解決することを目的とする。
【課題を解決するための手段】
【００１３】
この発明は、上記目的を達成するために提案するものであり、ハブ部から放射状に延びる複数の縦型スクレーパーフィンを備えたフィードロータをフィーダベース上へ回転自在に取付け、モータによる回転駆動機構を前記フィードロータへ連結するとともに、前記フィードロータを取囲むアウターリングをフィーダベース上に設け、フィーダベースのアウターリング内且つフィードロータ軸から変位した位置に改良材排出口を形成し、改良材排出口及びフィードロータの上面の一部を上方から覆う仕切り板を前記アウターリング上に設け、フィードロータ上へ土質改良材を投入し、フィードロータを回転駆動したときに、フィードロータ一回転あたり一定量の改良材が前記改良材排出口を通じて排出されるように構成した土質改良機の改良材供給装置を提供するものである。
【００１４】
また、前記フィードロータのスクレーパーフィンは、ハブ部へ接続する基部の板厚が外端部の板厚よりも厚い土質改良機の改良材供給装置を提供するものである。
【００１５】
上記の構成は、従来型とは異なり、フィードロータの外周にリングを設けていないので、フィードロータのリングとアウターリングとの間隙に改良材（セメントなど）が詰まってフィードロータの回転負荷が過大となったり、回転不能となったりすることがない。
【００１６】
また、フィードロータのスクレーパーフィンの基部の板厚を外端部の板厚よりも厚くすることによって、スクレーパーフィンが撓んだり曲がったりすることを防止でき、改良材供給機能が安定化し、耐久性も向上する。
【発明の効果】
【００１７】
本発明の土質改良機の改良材供給装置は、回転するフィードロータとその外側のアウターリングとの間隙に改良材が詰まってフィードロータが固着することがなく、改良材供給機能が安定であり、メンテナンスの手間も軽減される。また、従来型のようにロータのリングを高い真円度に成型する必要がなく、製造の手間が軽減されて製造原価を削減できる。
【発明を実施するための最良の形態】
【００１８】
本発明の土質改良機の改良材供給装置は、ハブ部から放射状に延びる複数の縦型スクレーパーフィンを備えたフィードロータをフィーダベース上へ回転自在に取付け、モータによる回転駆動機構をフィードロータへ連結するとともに、フィードロータを取囲むアウターリングをフィーダベース上に設け、フィーダベースのアウターリング内且つフィードロータ軸から変位した位置に改良材排出口を形成し、改良材排出口及びフィードロータの上面の一部を上方から覆う仕切り板をアウターリング上に設け、フィードロータ上へ土質改良材を投入し、フィードロータを回転駆動したときに、フィードロータ一回転あたり一定量の改良材が前記改良材排出口を通じて排出されるように構成している。このように、従来の改良材供給装置のリングフィーダに備えられていた外周リングを廃したことによって、アウターリングとリングフィーダとの固着の虞やメンテナンスにかかる手間を軽減し、且つリングフィーダの真円度管理にかかるコストを削減できるようにして製造原価を低減するという目的を達成した。
【実施例１】
【００１９】
図1及び図2は、本発明の土質改良機の改良材供給装置を示し、回転するフィードロータ21以外の部分は従来型の構成と同様であり、図2に示すように土質改良機のフレームFに平面形状が円形のフィーダベース1がボルトBにて結合され、フィーダベース1の下面中心にフィーダモータ2が取付けられている。フィーダモータ2の軸3はフィーダベース1から上方へ突出し、軸3に取付けられたフィードロータ21がフィーダモータ2の軸3とともに回転する。
【００２０】
フィードロータ21は中心のハブ部22と、ハブ部22から放射状に延びる複数のスクレーパーフィン23とによって構成されており、図3及び図4に示した従来のリングフィーダ4からリング7を除いた構成であって、この実施例では10枚のスクレーパーフィン23が設けられている。
【００２１】
フィーダベース1には、フィードロータ21を囲むアウターリング8が固定されていて、フィードロータ21のスクレーパーフィン23の外端とアウターリング8の内周とには僅かな間隙がある。アウターリング8の上縁には、上方へ向かって直径が拡大する漏斗状の改良材タンク9が結合されており、フィードロータ21の上面を約半分程度遮蔽する仕切り板10がアウターリング8に設けられている。
【００２２】
図1は、仕切り板10を一部切り欠いてフィーダベース1の表面を示しており、フィーダベース1の仕切り板10で覆われた箇所に角穴11が形成されていて、フィーダベース1の下面に角穴11と合致するシュート12が取付けられている。
【００２３】
改良材タンク9内へ改良材を投入すると、フィードロータ21の仕切り板10で遮蔽されていない部分へ改良材が落下して、フィードロータ21のハブ部22及びスクレーパーフィン23とアウターリング8とによって形成される空間内へ改良材が充満し、フィードロータ21の回転に伴って改良材がフィーダベース1の角穴11の位置へ移動したときにシュート12を通じて改良材が落下する。
【００２４】
フィードロータ21が回転する際に、改良材はフィードロータ21のスクレーパーフィン23の上端位置で仕切り板10によってすり切られ、フィーダベース1と仕切り板10の上下間隔に相当する厚さの改良材がシュート12から落下する。
【００２５】
フィードロータ21の１回転あたりの改良材供給量は、フィードロータ21のハブ部22とアウターリング8との間のリング形空間を10枚のスクレーパーフィン23で区画した10升分の体積であり、フィードロータの回転数によって改良材供給量を制御することができることは従来型と同様である。
【００２６】
このように、スクレーパーフィン23の外周を囲むリングを廃したことにより、リングとアウターリングとの間に改良材が詰まることがなくなる。また、放射状に配した10枚のスクレーパーフィン23のそれぞれの外端の回転軌跡は真円を描き、それぞれの外端の回転半径がある程度相違していても回転抵抗に影響を及ぼさないので、複数のスクレーパーフィン23の回転半径を精密に一致させる必要がなく、高い工作精度を要求されないため、従来型よりも製造コストがかからない。
【００２７】
尚、複数のスクレーパーフィンを取囲むリングを廃したことにより、改良材供給時にスクレーパーフィン23に大きい曲げ応力がかかって撓みや曲がりを生じる虞があり、従来型よりもスクレーパーフィンの曲げ強度を上げる必要があるが、図示例のようにスクレーパーフィン23の基部が外端よりも太いくさび形の平面形状としたり、平板であっても板厚を厚くしたり、或いはスクレーパーフィンの枚数を増やして一枚のスクレーパーフィンにかかる荷重を低減することにより、撓みや曲がりを生じないようにすることができる。
【００２８】
尚、この発明は上記の実施形態に限定するものではなく、この発明の技術的範囲内において種々の改変が可能であり、この発明がそれらの改変されたものに及ぶことは当然である。
【図面の簡単な説明】
【００２９】
【図１】本発明の一実施形態を示し、改良材供給装置の一部切欠平面図。
【図２】図1のA-A線断面図。
【図３】従来例を示し、改良材供給装置の一部切欠平面図。
【図４】図3のA-A線断面図。
【符号の説明】
【００３０】
1      フィーダベース
2      フィーダモータ
3      軸
8      アウターリング
9      改良材タンク
10     仕切り板
11     角穴
12     シュート
21     フィードロータ
22     ハブ部
23     スクレーパーフィン
F      フレーム
B      ボルト
【図１】
2007145454.tif 000003
【図２】
2007145454.tif 000004
【図３】
2007145454.tif 000005
【図４】
2007145454.tif 000006